(57)【要約】【課題】  樋の形状が外部から見えない等、外観に優れ、高強度で豪雪地方等においても好適な雨樋構造を提供する。【解決手段】  屋根２の下端部において、下端部と一体的に、内部空間１ａを有する箱状に形成された軒樋１を屋根２の下辺に沿って延設し、軒樋１の上面に、内部空間１ａに通じる複数のスリット１ｂを形成した雨樋構造。複数の瓦を屋根の下辺に沿って連設した際に現れる外観になるように、軒樋１の上面に凹凸を形成することができ、箱状の軒樋１の上面のスリット１ｂの上方に落葉防止用ネット５を設けることが好ましい。軒樋１と呼樋４を介して接続される縦樋１１の外表面１１ａを、分割された外壁材１２、１３の間に、分割された外壁材１２、１３の各々の外表面１２ａ、１３ａと、段差が生じないように連続して配置したり、縦樋４１を、外壁材４２の内側に、外壁材４２と柱４３との間に配置することができる。【選択図】  図１
2005273148.tif 000002
【特許請求の範囲】
【請求項１】
屋根の下端部において、該下端部と一体的に、内部空間を有する箱状に形成された軒樋を該屋根の下辺に沿って延設し、該軒樋の上面に、前記内部空間に通じる複数のスリットを形成したことを特徴とする雨樋構造。
【請求項２】
複数の瓦を屋根の下辺に沿って連設した際に現れる外観になるように、上面に凹凸を形成したことを特徴とする請求項１に記載の雨樋構造。
【請求項３】
前記箱状の軒樋の上面のスリットの上方に落葉防止用ネットを設けたことを特徴とする請求項１または２に記載の雨樋構造。
【請求項４】
前記軒樋の下方先端部の直下に連続して呼樋を接続したことを特徴とする請求項１、２または３に記載の雨樋構造。
【請求項５】
軒樋と呼樋を介して接続される縦樋の外表面を、分割された外壁材の間に、該分割された外壁材の各々の外表面と、段差が生じないように連続して配置したことを特徴とする雨樋構造。
【請求項６】
軒樋と呼樋を介して接続される縦樋を、外壁材の内側に、該外壁材と柱との間に配置したことを特徴とする雨樋構造。
【請求項７】
請求項１乃至４に記載のいずれかの雨樋構造と、請求項５または６に記載の雨樋構造とを組み合わせたことを特徴とする雨樋構造。
【発明の詳細な説明】
【技術分野】
【０００１】
本発明は、雨樋構造に関し、特に、屋根と一体に形成された軒樋と、外表面が外壁材と段差が生じないように配置した縦樋等を備えた雨樋構造に関する。
【背景技術】
【０００２】
従来、雨樋は、軒樋、縦樋ともに建物とは別体として形成され、各々樋支持用金具等によって支持されていた。そのため、軒樋を支持するための金具の取付けには専門的な技術が必要となったり、積雪、風雨、日光の照射等によって劣化し、樋としての機能が低下するとともに、屋根の周辺の美観が損われる等の問題があった。また、縦樋についても、建物の隅角部に配置することが通常であるため、縦樋によって壁板が隠れ、高額の隅角用壁板を使用する意義が失われたり、縦樋が建物と遊離して違和感を与え、建物の美観を損なうという問題点もあった。
【０００３】
上記問題点を解消するため、例えば、特許文献１には、軒樋を屋根と一体的に設けるとともに、隅角用縦樋を隅角用壁板と兼用し、建物の美観を向上させるとともに、安価で機能的に構成した雨樋が開示されている。この雨樋は、樋部と延設部からなる軒樋を、屋根の勾配に沿って一端部が他端部より上方に位置するように野地板の下端部に取り付け、下方側端部に集められた雨水を、呼樋を介して縦樋に流すように形成し、内部が空洞の略々角筒状に形成された縦樋を、左右の壁板間の空隙部に直接または縦樋支持用のコーナー材部を介して取り付けている。
【０００４】
【特許文献１】特開平１１−３５０６７８号公報
【発明の開示】
【発明が解決しようとする課題】
【０００５】
しかし、上記特許文献１に記載の雨樋においては、軒樋が屋根と一体的に形成されているものの、略々Ｌ字状に、従来の雨樋としての形状が残された状態で配置されている。そのため、外観の面で改善の余地があるとともに、上方が完全に解放されているため、積雪等によって雨樋が破損しやすくなるという問題もあった。
【０００６】
また、同文献に記載の縦樋についても、左右の壁板間の空隙部に直接または間接的に取り付けているが、壁板から突出する部分が存在し、周囲との関係で違和感を生じさせる面もあるため、外観的に改善の余地が存在した。
【０００７】
そこで、本発明は、上記従来の雨樋構造における問題点に鑑みてなされたものであって、外観に優れるとともに、強度的にも優れ、積雪の多い地方等においても好適な雨樋構造を提供することを目的とする。
【課題を解決するための手段】
【０００８】
上記目的を達成するため、本発明は、雨樋構造であって、屋根の下端部において、該下端部と一体的に、内部空間を有する箱状に形成された軒樋を該屋根の下辺に沿って延設し、該軒樋の上面に、前記内部空間に通じる複数のスリットを形成したことを特徴とする。
【０００９】
そして、本発明によれば、内部空間に通じる複数のスリットを有する箱状の軒樋を屋根の下端部と一体的に、屋根の下辺に沿って延設したため、従来の雨樋としての形状が全くなく、外観に優れるとともに、樋内に積雪することもないため、積雪の多い地方等においても好適に使用することができる。
【００１０】
前記雨樋構造において、複数の瓦を屋根の下辺に沿って連設した際に現れる外観になるように、上面に凹凸を形成することができる。これによって、軒樋を完全に屋根の瓦と一体化することができ、従来の樋が存在しないような外観とすることができる。
【００１１】
前記箱状の軒樋の上面のスリットの上方に落葉防止用ネットを設けるように構成することができる。これによって、樋内に落葉等が落下して樋が閉塞することを防止することができる。
【００１２】
前記軒樋の下方先端部の直下に連続して呼樋を接続させることができる。これによって、軒先を細く見せることが可能となる。
【００１３】
また、本発明は、雨樋構造であって、軒樋と呼樋を介して接続される縦樋の外表面を、分割された外壁材の間に、該分割された外壁材の各々の外表面と、段差が生じないように連続して配置したことを特徴とする。
【００１４】
そして、本発明によれば、縦樋と外壁材との間に段差がないため、外壁の壁面から突出する部分がなくなり、周囲との関係で縦樋を全く違和感のない状態で設置することができる。
【００１５】
さらに、本発明は、雨樋構造であって、軒樋と呼樋を介して接続される縦樋を、外壁材の内側に、該外壁材と柱との間に配置したことを特徴とする。これによって、外側から縦樋を全く目視されないようにすることができ、外観に優れた雨樋構造とすることができる。
【００１６】
上記軒樋を備えた雨樋構造と、上記縦樋を有する雨樋構造とを組み合わせることができる。これによって、軒樋から呼樋を介して縦樋まで、全体的に外観及び強度的に優れた雨樋構造を提供することができる。
【発明の効果】
【００１７】
本発明によれば、外観に優れるとともに、強度的にも優れ、積雪の多い地方等においても好適な雨樋構造を提供することができる。
【発明を実施するための最良の形態】
【００１８】
図１及び図２は、本発明にかかる雨樋構造の軒樋の一実施の形態を示し、この軒樋１は、垂木３上に敷設された野地合板２の最下部において野地合板２と一体的に構成されている。
【００１９】
この軒樋１は、塩化ビニルと溶融亜鉛メッキ鋼板等で形成され、図１に示すように、軒樋１全体が連続する瓦（同図の例では６枚の瓦）の外観を呈するように形成される。この軒樋１は、図２に明示されるように、内部に空間１ａを有する箱状に形成され、垂木３の小口にビスで固定される。軒樋１の上面には、複数のスリット１ｂが野地合板２の下辺に平行に形成されている。軒樋１の下方先端部は、袋状に形成される。軒樋１は、接続部１ｃを介して呼樋４に接続される。
【００２０】
軒樋１の上面のスリットの上方には、落葉防止ネット５が張設され、スリットを介して軒樋１の空間１ａに落葉等が落下して軒樋１が閉塞しないようにしている。
【００２１】
軒樋１の接続部１ｃは、図２の実線で示すように、凹部１ｄを設けるように形成してもよく、この凹部１ｄがなくなるように、点線で示すような形状とすることができ、外観を変化させることができる。
【００２２】
軒樋１及びその周辺を上記のような構造とすることにより、樋支持用金具、ハブ板等が不要となるとともに、従来の樋が存在しないような外観とすることができる。この際、図２に示すように、軒樋１の下方先端部の直下に連続して呼樋４を接続することにより、軒先を細く見せることができる。また、軒樋１は野地合板２を介して垂木３と一体となっているため、高強度である。さらに、軒樋１の中に積雪することもないため、積雪の多い地方等においても好適に使用することができる。
【００２３】
次に、本発明にかかる雨樋構造の縦樋について図３乃至図８を参照しながら説明する。尚、縦樋は、図１に示した上記軒樋１と呼樋４を介して接続される。
【００２４】
図３乃至図５は、縦樋を外壁サイディング材の間に外壁の一部を構成するような形で取り付けた実施の形態を示している。
【００２５】
図３は、出隅の場合を示し、断面がＬ字型の中空の縦樋１１を外壁サイディング材１２、１３の間に外壁の一部をなすように配置している。縦樋１１の外表面１１ａを、外壁サイディング材１２、１３の外表面１２ａ、１３ａに連続するように配置しているため、外壁の壁面から突出する部分がなくなり、周囲との関係で縦樋１１を全く違和感のない状態で設置することができ、外観に優れた雨樋構造とすることができる。尚、縦樋１１は、柱１４に固定された合板１５と外壁サイディング材１２、１３との間に介装された支持金具１６、１７を介して支持することができる。
【００２６】
図４は一般的な外壁の場合を示している。このような外壁についても、断面が矩形状の中空の縦樋２１を外壁サイディング材２２、２３の間に外壁の一部をなすように配置し、縦樋２１の外表面を、外壁サイディング材２２、２３の外表面に連続するように配置しているため、外壁の壁面から突出する部分がなくなり、周囲との関係で縦樋２１を全く違和感のない状態で設置することができる。縦樋２１は、柱２４に固定された合板２５と外壁サイディング材２２、２３との間に介装された支持金具２６、２７を介して支持することができる。
【００２７】
図５は、入隅の場合を示しているが、この場合でも、断面がＬ字型の中空の縦樋３１を外壁サイディング材３２、３３の間に外壁サイディング材３２、３３の表面で構成される外壁表面の一部を構成するような形で設置し、縦樋３１の外表面を、外壁サイディング材３２、３３の外表面に連続するように配置しているため、外壁の壁面から突出する部分がなくなり、周囲との関係で縦樋３１を全く違和感のない状態で設置することができる。縦樋３１は、柱３４に固定された合板３５と外壁サイディング材３２、３３との間に介装された支持金具３６、３７を介して支持することができる。
【００２８】
図６乃至図８は、縦樋を外壁サイディング材の内側、すなわち外壁サイディング材と柱との間に配置し、外側から縦樋が全く見えないように配置した実施の形態を示している。
【００２９】
図６は、出隅の場合を示し、断面が矩形状の中空の縦樋４１を外壁サイディング材４２と柱４３との間に配置している。縦樋４１は、外壁サイディング材４２と柱４３との間に介装された支持金具４４を介して支持することができる。このように構成することにより、外側からは、縦樋４１が全く目視されないため、周囲との関係で縦樋４１を全く違和感のない状態で設置することができ、外観に優れた雨樋構造とすることができる。
【００３０】
図７は、一般的な外壁の場合を示している。このような外壁についても、断面が矩形状の中空の縦樋５１を外壁サイディング材５２と柱５３との間に配置する。縦樋５１は、外壁サイディング材５２と柱５３との間に介装された支持金具５４、５５を介して支持することができる。このように構成することにより、外側からは、縦樋５１が全く見えないため、周囲との関係で縦樋５１を全く違和感のない状態で設置することができ、外観に優れた雨樋構造とすることができる。
【００３１】
図８は、入隅の場合を示しているが、この場合でも、断面が矩形状の中空の縦樋６１を外壁サイディング材４２と柱６３との間に配置している。縦樋６１は、外壁サイディング材６２と柱６３との間に介装された支持金具６４、６５を介して支持することができる。このように構成することにより、外側からは、縦樋６１が全く目視されないため、周囲との関係で縦樋６１を全く違和感のない状態で設置することができ、外観に優れた雨樋構造とすることができる。
【図面の簡単な説明】
【００３２】
【図１】本発明にかかる雨樋構造の軒樋の一実施の形態を示す斜視図である。
【図２】図１の軒樋の断面図である。
【図３】本発明にかかる雨樋構造の縦樋の一実施の形態を示す断面図である。
【図４】本発明にかかる雨樋構造の縦樋の一実施の形態を示す断面図である。
【図５】本発明にかかる雨樋構造の縦樋の一実施の形態を示す断面図である。
【図６】本発明にかかる雨樋構造の縦樋の一実施の形態を示す断面図である。
【図７】本発明にかかる雨樋構造の縦樋の一実施の形態を示す断面図である。
【図８】本発明にかかる雨樋構造の縦樋の一実施の形態を示す断面図である。
【符号の説明】
【００３３】
１      軒樋
１ａ    空間
１ｂ    スリット
１ｃ    接続部
１ｄ    凹部
２      野地合板
３      垂木
４      呼樋
５      落葉防止用ネット
１１    縦樋
１１ａ  外表面
１２    外壁サイディング材
１２ａ  外表面
１３    外壁サイディング材
１３ａ  外表面
１４    柱
１５    合板
１６    支持金具
１７    支持金具
２１    縦樋
２２    外壁サイディング材
２３    外壁サイディング材
２４    柱
２５    合板
２６    支持金具
２７    支持金具
３１    縦樋
３２    外壁サイディング材
３３    外壁サイディング材
３４    柱
３５    合板
３６    支持金具
３７    支持金具
４１    縦樋
４２    外壁サイディング材
４３    柱
４４    支持金具
５１    縦樋
５２    外壁サイディング材
５３    柱
５４    支持金具
５５    支持金具
６１    縦樋
６２    外壁サイディング材
６３    柱
６４    支持金具
６５    支持金具
【図１】
2005273148.tif 000003
【図２】
2005273148.tif 000004
【図３】
2005273148.tif 000005
【図４】
2005273148.tif 000006
【図５】
2005273148.tif 000007
【図６】
2005273148.tif 000008
【図７】
2005273148.tif 000009
【図８】
2005273148.tif 000010